(57)【要約】【課題】本発明は、単品構成で器具コストが低廉で済み、且つ、簡略な操作で打診検査と擦り検査との双方を的確に行うことができる外壁検査用ハンマーを提供するものである。【解決手段】本発明の外壁検査用ハンマー１は、建築物の外壁１０に対峙させる短辺２ａ側で非弾性状態、長辺２ｂ側で弾性状態を呈する矩形状断面を有する検査片２と、この検査片２の一端に取り付けられるとともに前記非弾性状態を呈する短辺２ａに対応する向きの殴打部３ａ、前記弾性状態を呈する長辺２ｂに対応する向きの擦り部を備えた塊状の検査体３と、前記検査片２の他端に取り付けた把手部４とを有するものである。【選択図】図１
2004028643.tif 000002
【特許請求の範囲】
【請求項１】
建築物の外壁に対峙させる向きによって非弾性状態、弾性状態を呈する形状に形成した検査片と、
この検査片の一端に取り付けられるとともに前記非弾性状態を呈する方向に対応する向きの殴打部、前記弾性状態に対応する向きの擦り部を備えた塊状の検査体と、
前記検査片の他端に取り付けた把手部と、
を有することを特徴とする外壁検査用ハンマー。
【請求項２】
建築物の外壁に対峙させる短辺側で非弾性状態、長辺側で弾性状態を呈する矩形状断面を有する検査片と、
この検査片の一端に取り付けられるとともに前記非弾性状態を呈する短辺に対応する向きの殴打部、前記弾性状態を呈する長辺に対応する向きの擦り部を備えた塊状の検査体と、
前記検査片の他端に取り付けた把手部と、
を有することを特徴とする外壁検査用ハンマー。
【発明の詳細な説明】
【発明の属する技術分野】
本発明は、例えばＲＣ、ＳＲＣ構造の建築物の外壁等を打診検査するのに好適な外壁検査用ハンマーに関するものである。
【従来の技術】
従来、この種の検査ハンマー５０は、図５に示すように、所定長さの剛性を有する柄５１の先端に検査球５２を固着するとともに、他端側には把手５３が固着されている。
また、図６に示すように、所定長さの剛性を有する柄部６１Ａ及び弾性を有するバネ部６１Ｂを直結した柄６１の先端に、検査球５２を固着するとともに、他端側（バネ部６１Ｂ側）には把手５３が固着された構造の検査ハンマー６０も知られている（実開平４−１２２３６３号）。
【発明が解決しようとする課題】
図５に示す検査ハンマー５０の場合、建物外壁を打診調査する際に、柄５１が剛性を有するため、手の力が直接伝わることから、被検査体（タイル壁、モルタル壁等）を瞬間的に押さえつける作用が働き、この結果、比較的大きな剥離状態（浮き）の場合は空隙音がはっきり生じる。すなわち、従来における図５に示すような検査ハンマー５０は、比較的大きな剥離状態（浮き）の打診検査に適している。
一方、図６に示す検査ハンマー６０の場合、剛性を有する柄部６１Ａと弾性を有するバネ部６１Ｂとにより柄６１を構成しているので、バネ部６１Ｂの弾性作用を利用しての微細な浮き、タイルの浮き等の比較的小さい剥離状態（浮き）の擦り検査に適している。
しかしながら、上述した従来技術では、建物外壁に対する打診検査と擦り検査との双方を単一個の検査ハンマーで併用して行うことができず、打診検査用、擦り検査用の２個の検査ハンマー５０、６０が必須となり、結果的に、器具コストが高くなってしまうという問題があった。
本発明は、上記従来の事情に鑑み開発されたものであり、単品構成で器具コストが低廉で済み、且つ、簡略な操作で打診検査と擦り検査との双方を的確に併用できる外壁検査用ハンマーを提供するものである。
【課題を解決するための手段】
請求項１記載の外壁検査用ハンマーは、建築物の外壁に対峙させる向きによって非弾性状態、弾性状態を呈する形状に形成した検査片と、この検査片の一端に取り付けられるとともに前記非弾性状態を呈する方向に対応する向きの殴打部、前記弾性状態に対応する向きの擦り部を備えた塊状の検査体と、前記検査片の他端に取り付けた把手部と、を有することを特徴とするものである。
この発明によれば、検査片が、建築物の外壁に対峙させる向きによって非弾性状態、弾性状態を呈する形状に形成され、検査体は前記非弾性状態を呈する方向に対応する向きの殴打部、前記弾性状態に対応する向きの擦り部を備えているので、単品構成で、器具コストが低廉で済み、且つ、簡略な操作で打診検査と擦り検査との双方を的確に行うことができる外壁検査用ハンマーを提供できる。
請求項２記載の外壁検査用ハンマーは、建築物の外壁に対峙させる短辺側で非弾性状態、長辺側で弾性状態を呈する矩形状断面を有する検査片と、この検査片の一端に取り付けられるとともに前記非弾性状態を呈する短辺に対応する向きの殴打部、前記弾性状態を呈する長辺に対応する向きの擦り部を備えた塊状の検査体と、前記検査片の他端に取り付けた把手部と、を有することを特徴とするものである。
この発明によれば、検査片が、建築物の外壁に対峙させる短辺側で非弾性状態、長辺側で弾性状態を呈する矩形状断面を有し、検査体は前記非弾性状態を呈する短辺に対応する向きの殴打部、前記弾性状態を呈する長辺に対応する向きの擦り部を備えているので、単品構成で、器具コストが低廉で済み、且つ、簡略な操作で打診検査と擦り検査との双方を的確に行うことができる外壁検査用ハンマーを提供できる。
【発明の実施の形態】
以下に、本発明の実施の形態について詳細に説明する。
図１は本発明の実施の形態の外壁検査用ハンマー１を示すものであり、この外壁検査用ハンマー１は、建築物の外壁１０に対峙させる短辺２ａ側で非弾性状態、この短辺２ａと直交する方向の長辺２ｂ側で弾性状態を呈するとともに、図４に示す如き矩形状断面を有する形状に形成した例えば長さ数１０ｃｍ程度の例えば板ばね材等からなる検査片２と、この検査片２の一端に取り付けられるとともに、図３に示すように前記非弾性状態を呈する短辺２ａに対応する向きの殴打部３ａ・３ａ、前記弾性状態を呈する長辺２ｂに対応する向きの擦り部３ｂ・３ｂを外周に備えた塊状（略楕円体状）の検査体３と、前記検査片２の他端に取り付けた把持用の丸棒状の把手部４と、この把手部４から更に外方（下方）に突出形成した孔６を有する突出部５とを有している。
前記外壁１０は、例えばコンクリート面にモルタル又はタイル等を接合して構成している。
また、前記突出部５の孔６には、例えば図示しない吊り紐等を通して外壁検査用ハンマー１を吊り下げ可能としている。
次に、本実施の形態の外壁検査用ハンマー１の作用を説明する。
図１に示すように、外壁検査用ハンマー１により建築物の外壁１０の打診検査を行う場合には、前記検査片２の短辺２ａ、従って殴打部３ａを外壁１０に対峙させ、この状態で、検査員は把手部４を握り図１に示す矢印方向に往復操作して打診検査する。
この場合には、検査片２の短辺２ａが外壁１０に対峙しているため、検査片２の往復操作方向の剛性が大きく（非弾性状態）、検査員の手の力は検査片２、検査体３を介して外壁１０に直接作用する。この結果、外壁１０に生じているモルタル等の例えば剥離部分での空隙音等が明瞭に発生することになり、例えば比較的大きな当該剥離部分の打診検査を的確に行うことができる。
一方、前記外壁検査用ハンマー１により建築物の外壁１０の擦り検査を行う場合には、前記検査片２の長辺２ｂ、従って擦り部３ｂを外壁１０に対峙させ（検査片２、検査体３の向きを９０度変え）、且つ、擦り部３ｂを外壁１０に接触させ、この状態で、検査員は把手部４を握り、図２に示す矢印方向に擦り部３ｂを往復操作して擦り検査する。
この場合には、検査片２の長辺２ａが外壁１０に対峙しているため、検査片２は弾性を発揮して微妙に変位し、この結果、擦り操作に伴い、外壁１０におけるモルタル等の例えば微細な浮き、タイルの浮き、浮き代（空隙）が小さな浮き等のような微小な音を発生させる例えば比較的小さい部分についての擦り検査を的確に行うことができる。
なお、前記検査片２の形状は、建築物の外壁１０に対峙させる方向によって非弾性状態と、弾性状態とに変化するものであれば、矩形状に限定されるものではない。
また、前記検査体３の形状も種々の変形が可能である。
【発明の効果】
本発明によれば、非弾性状態、弾性状態を呈する形状の検査片及び検査体の殴打部、擦り部の配置によって、単品構成で、器具コストが低廉で済み、且つ、簡略な操作で打診検査と擦り検査との双方を的確に併用して行うことができる斬新な外壁検査用ハンマーを提供することができる。
また、本発明によれば、検査片が、建築物の外壁に対峙させる短辺側で非弾性状態、長辺側で弾性状態を呈する矩形状断面を有し、検査体は前記非弾性状態を呈する短辺に対応する向きの殴打部、前記弾性状態を呈する長辺に対応する向きの擦り部を備えているので、単品構成で、器具コストが低廉で済み、且つ、簡略な操作で打診検査と擦り検査との双方を的確に併用して行うことができる外壁検査用ハンマーを提供することができる。
【図面の簡単な説明】
【図１】本発明の実施の形態の外壁検査用ハンマーの外壁に対する打診検査時の概略図である。
【図２】本実施の形態の外壁検査用ハンマーの外壁に対する擦り検査時の概略斜視図である。
【図３】本実施の形態の外壁検査用ハンマーの検査体の平面図である。
【図４】本実施の形態の外壁検査用ハンマーの検査片の横断面図である。
【図５】従来の検査ハンマーを示す概略正面図である。
【図６】従来の検査ハンマーの他例を示す概略正面図である。
【符号の説明】
１　　外壁検査用ハンマー
２　　検査片
２ａ　短辺
２ｂ　長辺
３　　検査体
３ａ　殴打部
３ｂ　擦り部
４　　把手部
５　　突出部
１０　　外壁
【図１】
2004028643.tif 000003
【図２】
2004028643.tif 000004
【図３】
2004028643.tif 000005
【図４】
2004028643.tif 000006
【図５】
2004028643.tif 000007
【図６】
2004028643.tif 000008